(57)【特許請求の範囲】
【請求項１】
固定レールに対して摺動可能な可動レールと、該可動レールとは別部材からなり可動レール上に固定的に支持されたライザープレートと、該ライザープレートに対して締結支持されるベルトアンカーとを有するシートトラック装置において、
上記ライザープレートに、ベルトアンカーからの過大荷重入力時に該ライザープレートの変形を生じさせて荷重を吸収する変形誘発部を形成したことを特徴とするシートトラック装置。
【請求項２】
請求項１記載のシートトラック装置において、ベルトアンカーは、ライザープレートの後部に締結支持され、上記変形誘発部は、該ベルトアンカーの締結支持部より前方に形成されているシートトラック装置。
【請求項３】
請求項１または２記載のシートトラック装置において、ベルトアンカーは、ベルトアンカーブラケットを介してライザープレートに支持されており、上記変形誘発部は、該ベルトアンカーとベルトアンカーブラケットの締結部と略同じ高さ位置に形成されているシートトラック装置。
【請求項４】
請求項１ないし３のいずれか１項記載のシートトラック装置において、ライザープレートは、前後方向の異なる位置に高さ調整機構を支持し、上記変形誘発部は、この前後の高さ調整機構の支持部の間に形成されているシートトラック装置。
【請求項５】
請求項１ないし４のいずれか１項記載のシートトラック装置において、ライザープレートは、アッパレールの上面に沿う水平壁部と、該水平壁部から上方に延出された立壁部とを有し、上記変形誘発部は、立壁部に形成された切り欠き部からなるシートトラック装置。
【請求項６】
請求項１ないし５のいずれか１項記載のシートトラック装置において、ライザープレートには、変形誘発部と重ならない位置にリンフォースブラケットが固定されているシートトラック装置。
【発明の詳細な説明】
【技術分野】
【０００１】
本発明は、車両用シートのシートトラック装置に関し、特にシートベルトアンカーを有するシートトラック装置の安全性向上に関する。
【背景技術】
【０００２】
車両用シートのシートトラック装置は一般に、車両床面に固定される左右のロアレール（固定レール）と、このロアレールに摺動自在に係合するアッパレール（可動レール）とを備えており、アッパレールとロアレールの間には、両レールの相対摺動を規制するスライドロック機構が備えられている。左右のシートトラック装置の一方（車内中央側）のアッパレールには、その後部に、シートベルトが着脱されるベルトアンカーが支持される。
【０００３】
ベルトアンカーを支持する側のシートトラック装置には、車両の衝突（前突）時に、大きな前方荷重が加わり、アッパレールには後方を持ち上げようとする曲げ荷重が加わる。この荷重への対策として、アッパレールに補強部材としてリンフォースブラケットを設けた構造や、特開２００６-２９８１０４号のように、スライドロック機構を構成するロック関連プレートとアッパレールの重畳量を大きくして、リンフォースブラケットを省略しつつ強度を確保させた構造が提案されている。
【特許文献１】特開２００６-２９８１０４号公報
【発明の開示】
【発明が解決しようとする課題】
【０００４】
以上の対策はいずれも、アッパレール周りの強度を高めて荷重に対応することを狙ったものであるが、シートトラック装置の構造上、このように補強用の強度部品を重ねて強度を高めていくことが難しい場合があり、従前とは異なる荷重対策が求められていた。
【０００５】
例えば、シートの高さ位置を調整可能な高さ調整機構を有するシートでは、高さ調整機構を支持するライザープレートがアッパレール上に固定的に支持されており、このライザープレートによってベルトアンカーからの荷重を受けることができる。ここで、シートの前部と後部に高さ調整機構を備える場合には、前後の高さ調整機構を支持する一体部材としてライザープレートを構成することにより、剛性アップを図ることができるが、その反面、ライザープレートが剛体であるがゆえに、ベルトアンカーからの荷重が吸収されずにそのままアッパレールに伝わり、スライドロック機構に大きな負荷が作用してしまうおそれがあった。
【０００６】
本発明は、以上の問題点に鑑みてなされたものであり、ベルトアンカーに対して強い荷重が加わったときに、簡単な構造で確実にスライドロック機構への負荷を軽減することが可能なシートトラック装置を得ることを目的とする。
【課題を解決するための手段】
【０００７】
本発明は、アッパレール上に固定されるライザープレートの変形によって衝突時の荷重を吸収し、アッパレールに入力される負荷の軽減を図るという着眼に基づいてなされたものである。
【０００８】
すなわち本発明は、固定レールに対して摺動可能な可動レールと、該可動レールとは別部材からなり可動レール上に固定的に支持されたライザープレートと、該ライザープレートに対して締結支持されるベルトアンカーとを有するシートトラック装置において、ライザープレートに、ベルトアンカーからの過大荷重入力時に該ライザープレートの変形を生じさせて荷重を吸収する変形誘発部を形成したことを特徴としている。
【０００９】
変形誘発部は、ライザープレートの後部におけるベルトアンカーの締結支持部より前方に形成することで、ベルトアンカーから入力される曲げ荷重に対して確実に機能させることができる。また、ベルトアンカーは、ベルトアンカーブラケットを介してライザープレートに支持されており、このベルトアンカーとベルトアンカーブラケットの締結部と略同じ高さ位置に、ライザープレートの変形誘発部を形成することが好ましい。
【００１０】
ライザープレートは、前後方向（レール摺動方向）の異なる位置に高さ調整機構を支持する一体構造部材からなり、この前後の高さ調整機構の支持部の間に変形誘発部を形成するとよい。
【００１１】
ライザープレートの変形誘発部は様々な形態が可能であるが、一例として、ライザープレートに、アッパレールの上面に沿う水平壁部と、該水平壁部から上方に延出された立壁部を設け、立壁部を一部切り欠くことによって、変形誘発部を形成することができる。
【００１２】
さらに、ライザープレートに対し、変形誘発部と重ならない位置にリンフォースブラケットを固定することにより、変形誘発部による変形を生じやすくすることができる。
【発明の効果】
【００１３】
本発明によれば、ベルトアンカーを支持する側のシートトラック装置において、衝突荷重が加わったときに、アッパレール上に設けたライザープレートの変形によって荷重が吸収されるため、スライドロック機構への負担が軽減され、安全性を向上させることができる。
【発明を実施するための最良の形態】
【００１４】
図１は、ベルトアンカー１１を有する車両中心側のシートトラック装置１０を示している。シートトラック装置１０は、シートＳの下方に左右一対が備えられており、それぞれ、固定ブラケット１２を介して車両の床面１３に前後方向に向けて固定されるロアレール（固定レール）２０と、このロアレール２０に摺動自在に嵌められ、シートＳの座面部を支持するアッパレール（可動レール）３０とを備えている。ベルトアンカー１１は、車両中心側のシートトラック装置１０のアッパレール３０に対して、後述するライザープレート５０とベルトアンカーブラケット６０（図１では省略されている）を介して支持されている。以下の「前後左右上下」は、車両のそれを基準としていう。
【００１５】
図２や図４に示すように、ロアレール２０は、略水平な底壁部２１と、底壁部２１の両側から上方に延びる左右一対の側壁部２２と、それぞれの側壁部２２からレール内側に折り返して形成された一対の抜止鍔部２３を有する略箱形断面をなし、側壁部２２の途中には半円状断面のボール保持凹部２４が形成され、左右の抜止鍔部２３の間にはアッパレール通過隙間２５が形成されている。
【００１６】
アッパレール３０は、ロアレール２０の底壁部２１に対向する略水平な上壁部３１と、上壁部３１の両側から下方に延びる左右一対の側壁部３２と、それぞれの側壁部３２からレール外側へ向けて折り返して形成された一対の抜止係合部３３を有するΩ状断面をなし、抜止係合部３３の途中には半円状断面のボール保持凹部３４が形成されている。
【００１７】
アッパレール３０は、上壁部３１を上方に向け、ロアレール２０の中央部のアッパレール通過隙間２５内に一対の側壁部３２を位置させ、左右の抜止鍔部２３によって抜止係合部３３が上方に抜け止めされた状態で、ロアレール２０と組み合わされる。この組み合わせ状態で、ロアレール２０に対してアッパレール３０が前後方向に摺動自在に支持され、ボール保持凹部２４、３４の間には摺動抵抗を減ずる転動ボール４０（図４）が挿入される。
【００１８】
ロアレール２０とアッパレール３０の間には、ロアレール２０に対するアッパレール３０の摺動を規制するスライドロック機構が設けられている。図示しないが、アッパレール３０には、摺動方向と略直交する軸を中心として回動可能なロックプレートが設けられ、ロアレール２０には、ロックプレートに設けた係合歯が係合可能な複数の係合受け部が、レール長手方向に位置を異ならせて形成されている。ロックプレートは係合受け部との係合方向に付勢されており、その係合歯と係合受け部が係合する状態では、ロアレール２０に対するアッパレール３０の摺動が規制される。そして、図示しないロック解除操作部材を操作することで、ロックプレートをロアレール２０の係合受け部との係合解除位置へ回動させ、アッパレール３０を摺動させることが可能となる。この種のスライドロック機構として、例えば特開２００５-３０６１７５号が知られている。
【００１９】
アッパレール３０上にはライザープレート５０が固定されている。図２や図４に示すように、ライザープレート５０は、アッパレール３０の上壁部３１と略平行をなす略水平な水平壁部５１と、該水平壁部５１から上方に向けて形成された立壁部５２とを有するＬ字状の断面形状をなし、水平壁部５１が上壁部３１に重ねられて、固定ボルトやリベットカシメなどの締結手段によって固定される。図１に示すように、ライザープレート５０とシートＳとの間には、シートＳの高さ調整機構１４が備えられている。高さ調整機構１４は、アッパレール３０に対するシートＳの高さ位置を調整するもので、シート前部を昇降させる前部高さ調整機構１４Ａと、シート後部を昇降させる後部高さ調整機構１４Ｂを備えている。それぞれの高さ調整機構は周知の構造であり詳細な説明は省略するが、例えば、ライザープレート５０上に形成した軸穴５３Ａ、５３Ｂ（高さ調整機構の支持部）に対して一端部が枢着され、他端部がシートＳのロアアームに枢着されたリンク部材の揺動によって、シートＳの上下位置を変化させるものである。
【００２０】
ライザープレート５０は、前後の高さ調整機構１４Ａ、１４Ｂを支持する、前後方向に長い一体の板状部材からなっていて、後部高さ調整機構１４Ｂを支持する軸穴５３Ｂの近傍に、ベルトアンカーブラケット６０が固定されている。ベルトアンカーブラケット６０は、前後方向位置の異なる２つの締結穴６１を有し、ライザープレート５０の立壁部５２は、この２つの締結穴６１に対応する２つの締結穴５４を有し、これら締結穴５４、６１に対して締結手段である固定ボルトが挿入されて、ライザープレート５０上にベルトアンカーブラケット６０が固定される。ベルトアンカーブラケット６０には、前後の締結穴６１の間に位置させて、立壁部５２との間に左右方向の隙間（図４参照）を形成する段部６２が曲折形成されている。この段部６２と立壁部５２の隙間に、ベルトアンカー１１の基端部と抜止ナット６５（図２、図４）が挿入される。そして、段部６２に形成したベルトアンカー締結穴６３とベルトアンカー１１の基端部に形成した締結穴１５に対して、固定ボルト６４（図２）が挿通され、固定ボルト６４に抜止ナット６５を螺合させることによって、ベルトアンカー１１は、ベルトアンカー締結穴６３を中心として回動（揺動）可能に支持されている。
【００２１】
ライザープレート５０の立壁部５２には、ベルトアンカーブラケット６０の締結位置の前方に、切り欠き部（変形誘発部）５５が形成されている。より詳しくは、切り欠き部５５は、ライザープレート５０の立壁部５２の上縁部から下方（水平壁部５１側）に向けて切り込まれた前後の傾斜切除面５６、５７を二辺とする三角形状をなしていて、ベルトアンカーブラケット６０のベルトアンカー締結穴６３（ベルトアンカー１１の締結位置）の前方延長上に位置している。図５に示すように、ライザープレート５０の立壁部５２は、前後の軸穴５３Ａ、５３Ｂ付近では上方への突出量が大きく、その間の中間領域は、上下方向幅（水平壁部５１からの高さ）が概ね一定となっているが、切り欠き部５５を形成した部分では上下方向幅が小さくなっている。換言すれば、ライザープレート５０におけるベルトアンカーブラケット６０の締結部よりも前方の領域のうちでは、切り欠き部５５の形成箇所が、他の領域よりも断面積が小さくなっている。
【００２２】
ライザープレート５０にはさらに、ベルトアンカーブラケット６０の裏面側に位置させて、補強部材であるリンフォースブラケット７０が固定されている。図２および図４に示すように、リンフォースブラケット７０は、ライザープレート５０の水平壁部５１に沿う略水平な水平壁部７１と、立壁部５２に沿う略垂直な立壁部７２とを有するＬ字状の断面形状をなし、水平壁部７１が水平壁部５１に重ねられて、アッパレール３０（上壁部３１）に対して、固定ボルトやリベットカシメなどの締結手段によってライザープレート５０（水平壁部５１）と共締めされる。さらに、リンフォースブラケット７０は、ライザープレート５０に対して溶接される。図３に示すように、リンフォースブラケット７０の立壁部７２の前縁は、ライザープレート５０の切り欠き部５５に隣接する位置にあって、該切り欠き部５５の後方の傾斜切除面５７と略平行な傾斜面となっている。
【００２３】
以上の構造のシートトラック装置１０では、車両の衝突（前突）時に、ベルトアンカー１１からベルトアンカーブラケット６０に対して、斜め上方（図３の矢印Ｆ方向）へ荷重が加わり、この荷重は、ライザープレート５０に対して、締結穴６１付近の後部を持ち上げようとする曲げ荷重として作用する。前述の通り、ライザープレート５０におけるベルトアンカーブラケット６０の前方領域のうち、切り欠き部５５の形成箇所では、他の箇所に比べて断面積が小さい低強度部となっている。そして、ベルトアンカー１１からベルトアンカーブラケット６０を経由して加わる曲げ荷重が過大である場合、この低強度部分に応力が集中してライザープレート５０の変形が誘発され、変形によって荷重が吸収される。本実施形態では特に、切り欠き部５５の後部領域がリンフォースブラケット７０で補強され、ライザープレート５０が単体で存在する部分に比べて強度が高くなっているため、切り欠き部５５による変形がより一層誘発されやすくなっている。仮に、ライザープレート５０が切り欠き部５５のような変形誘発部を有さず一様に剛性の高い形状であると、ベルトアンカー１１から入力する荷重が、剛体からなるライザープレート５０では吸収されずにアッパレール３０に伝わり、スライドロック機構のロックが外れるなどの不具合が生じるおそれがある。これに対し、変形誘発部である切り欠き部５５を形成して、ライザープレート５０を積極的に変形させてベルトアンカー１１からの負荷を吸収するようにしたので、スライドロック機構の変形や破損が防止され、安全性を確保することができる。
【００２４】
より詳細には、ベルトアンカー１１からベルトアンカーブラケット６０に対して加わる荷重Ｆは、ライザープレート５０の後部を持ち上げようとする上方への垂直方向成分と、ロアレール２０に対してアッパレール３０を摺動方向に変位させようとする前方への水平方向成分とを含んでいる。ここで、図３から分かるように、ライザープレート５０における変形誘発部である切り欠き部５５は、荷重Ｆが入力されるベルトアンカーブラケット６０のベルトアンカー締結穴６３と略同じ高さ位置に形成されている。切り欠き部５５の位置をこれより下方に設定すると、ライザープレート５０の曲げ変形が誘発されやすくなり、逆に、切り欠き部５５の位置をこれより上方に設定すると、ライザープレート５０の曲げ変形が抑制され、代わりにアッパレール３０を前方に移動させようとする力が加わりやすくなる。ライザープレート５０の切り欠き部５５は、アッパレール３０側への負荷を軽減する変形誘発部として機能するものであるが、アッパレール３０の駆動部やスライドロック機構に強度的な余裕を残した状態で、あまり容易にライザープレート５０の変形が生じてしまうことも好ましくない。この点に関し、切り欠き部５５とベルトアンカー締結穴６３を略同じ高さ位置に設定することにより、ライザープレート５０が受ける曲げ荷重と、アッパレール３０に入力される摺動方向の荷重を適度にバランスさせることができ、ライザープレート５０が過度に脆弱にならず、アッパレール３０に対して摺動方向への過負荷が作用する状況でのみ、ライザープレート５０の変形が生じるようになっている。
【００２５】
以上の実施形態で説明したシートトラック装置１０は一例を示すものであり、発明の要旨を逸脱しない限りにおいて、構成を異ならせることができる。例えば、実施形態のライザープレート５０では、変形誘発部として切り欠き部５５を形成しているが、切り欠き部に替えて、立壁部５２の一部を薄肉にして変形させやすくすることもできる。すなわち、変形誘発部は、他の領域に比べて断面係数が小さく変形しやすい部位になっていればよく、その形成態様を問わない。但し、実施形態のような切り欠き部は、一部を薄肉にする態様に比べて加工が容易であり、製造コストなどの点で有利である。
【００２６】
また、前述のように、実施形態のライザープレート５０では、ベルトアンカーブラケット６０の締結部付近をリンフォースブラケット７０で補強して、切り欠き部５５付近での変形を誘発させやすく構成しているが、リンフォースブラケット７０に相当する補強部材を省略することも可能である。
【図面の簡単な説明】
【００２７】
【図１】本発明によるシートトラック装置の一実施形態を示す側面図である。
【図２】同シートトラック装置の要部の分解斜視図である。
【図３】同シートトラック装置のうちベルトアンカーブラケット付近の要部を拡大した側面図である。
【図４】図３のIV-IV線に沿う断面図である。
【図５】アッパレール上に固定されるライザープレート単体の側面図である。
【符号の説明】
【００２８】
１０  シートトラック装置
１１  ベルトアンカー
１３  床面
１４（１４Ａ  １４Ｂ）  高さ調整機構
１５  締結穴
２０  ロアレール（固定レール）
３０  アッパレール（可動レール）
４０  転動ボール
５０  ライザープレート
５１  水平壁部
５２  立壁部
５３Ａ  ５３Ｂ  軸穴
５４  締結穴
５５  切り欠き部（変形誘発部）
５６  ５７  傾斜切除面
６０  ベルトアンカーブラケット
６１  締結穴
６２  段部
６３  ベルトアンカー締結穴
６４  固定ボルト
６５  抜止ナット
７０  リンフォースブラケット（補強部材）
７１  水平壁部
７２  立壁部
【図１】
0005255322.tif 000002
【図２】
0005255322.tif 000003
【図３】
0005255322.tif 000004
【図４】
0005255322.tif 000005
【図５】
0005255322.tif 000006